(57)【要約】【課題】  生花をバランス良く生けて転倒することを防止できる。【解決手段】  上方開口部３を有する軟質プラスチックフィルムから成る。表壁４と裏壁５とを、複数の生花小差込口６を区画形成する小差込口形成連結部７にて連結する。小差込口形成連結部７の少なくとも一部分を上方開口部３近傍に配設する。【選択図】  図１
2006198288.tif 000002
【特許請求の範囲】
【請求項１】
上方開口部（３）を有する軟質プラスチックフィルムから成り、かつ、表壁（４）と裏壁（５）とを、複数の生花小差込口（６）を区画形成する小差込口形成連結部（７）にて連結し、該小差込口形成連結部（７）の少なくとも一部分を上記上方開口部（３）近傍に配設したことを特徴とする生花鑑賞用袋。
【請求項２】
底部（Ｓ）にまち（１）を有し、水（Ｗ）を入れた状態で、平坦面（２）が底部（Ｓ）に形成されるように構成した請求項１記載の生花鑑賞用袋。
【請求項３】
上方開口部（３）近傍であって上記小差込口形成連結部（７）よりも上方位置にて、開閉自在な帯状チャック（８）が左右水平方向に配設されている請求項１又は２記載の生花鑑賞用袋。
【請求項４】
予め切花延命剤（10）を封入した請求項３記載の生花鑑賞用袋。
【請求項５】
上記小差込口形成連結部（７）が、上下方向の直線又は点線から成る請求項１，２，３又は４記載の生花鑑賞用袋。
【請求項６】
上記帯状チャック（８）よりも上方位置に、吊下げ用の貫孔（９）を有する請求項３，４又は５記載の生花鑑賞用袋。
【発明の詳細な説明】
【技術分野】
【０００１】
本発明は、生花鑑賞用袋に関する。
【背景技術】
【０００２】
従来、病院にお見舞いに持って行ったり、事務所の飾りとして生花を飾ったり、小さな部屋に生花を飾ったりするときに、陶器製やガラス製等の花瓶の代用として、紙状の材料から成る生花鑑賞用袋が用いられている（例えば、特許文献１参照）。
【０００３】
しかし、生花を飾るときに、生花が偏った方向に傾く虞れがあり、生花鑑賞用袋が倒れ、水がこぼれる虞れがあった。
【特許文献１】特開２００１−３４０１９３号公報
【発明の開示】
【発明が解決しようとする課題】
【０００４】
解決しようとする課題は、生花を飾るときに、生花が偏った方向に傾く虞れがあり、その場合、生花鑑賞用袋が倒れ、水がこぼれる点である。
【課題を解決するための手段】
【０００５】
そこで、本発明に係る生花鑑賞用袋は、上方開口部を有する軟質プラスチックフィルムから成り、かつ、表壁と裏壁とを、複数の生花小差込口を区画形成する小差込口形成連結部にて連結し、該小差込口形成連結部の少なくとも一部分を上記上方開口部近傍に配設したものである。
また、底部にまちを有し、水を入れた状態で、平坦面が底部に形成されるように構成したものである。
また、上方開口部近傍であって上記小差込口形成連結部よりも上方位置にて、開閉自在な帯状チャックが左右水平方向に配設されているものである。
また、予め切花延命剤を封入したものである。
また、上記小差込口形成連結部が、上下方向の直線又は点線から成るものである。
また、上記帯状チャックよりも上方位置に、吊下げ用の貫孔を有するものである。
【発明の効果】
【０００６】
本発明の生花鑑賞用袋によれば、持ち運びや展示に場所をとらず、便利である。特に、生花をバランス良く生けて転倒することを防止できるとともに、美しく生花を生けることができる。全体構造が簡易であり、取扱い易く、安価に製造可能であり、花屋の店頭等で生花と共に販売も容易である。
【発明を実施するための最良の形態】
【０００７】
図１・図２は、本発明の第１の実施の形態の使用状態を示す。図１（ａ）は正面図、図１（ｂ）は図１（ａ）のＡ−Ａ断面平面図を示す。図１（ｃ）は図１（ａ）のＢ−Ｂ断面平面図を示す。図２（ａ）は図１（ａ）の状態の生花Ｇを省略して描いた側面図を示す。図２（ｂ）は要部拡大断面側面図を示す。図２（ｃ）は水Ｗを入れる前の状態の要部拡大断面側面図を示す。
【０００８】
この生花鑑賞用袋は、中に水Ｗを入れ、生花Ｇを生ける（差込んで飾る）のに使用される。特に、病院にお見舞いに生花Ｇを持って行ったり、事務所の飾りとして生花Ｇを飾ったり、小さな部屋に生花Ｇを飾る場合に、用いられる。手軽に持ち運びするのに適し、例えば、机やテーブルの上に、載置される。
さらに、この生花鑑賞用袋は、底部Ｓにまち１を有し、水Ｗを入れた状態で、平坦面２が底部Ｓに形成されるように構成されている。言い換えると、図２に示すように、水Ｗを入れた状態では、まち１が平坦面状になる。
【０００９】
図３は、他の使用状態を示す。すなわち、タペストリーＴに固着された掛止具Ｋを、後述の吊下げ用の貫孔９に係止して、生花鑑賞用袋を吊り下げる。
【００１０】
図４・図５は、図１〜図３に於て既に説明した生花鑑賞用袋の未使用状態を示す。この生花鑑賞用袋は、上方開口部３を有する軟質プラスチックフィルムから成る。表壁４と裏壁５とは、複数（３個）の生花小差込口６に区画形成する小差込口形成連結部７にて連結（例えば、溶着、融着、接着等）されている。具体的には、表壁４と裏壁５とは、左右端縁13，14の近傍の各々に設けられた波状点線から成る小差込口形成連結部７ａ，７ａと、これら小差込口形成連結部７ａ，７ａの中間部15に設けられた小差込口形成連結部７ｂ，７ｂにて連結されている。小差込口形成連結部７（小差込口形成連結部７ａ，小差込口形成連結部７ｂ）の少なくとも一部分は、上方開口部３近傍に配設されている。本発明に於て、「上方開口部３近傍」とは、全体の高さのうち上方開口部３側の３分の１の高さの範囲Ｘをいうと定義する。左右端縁13，14近傍の各々に設けられた小差込口形成連結部７ａ，７ａによって略だるま型の水収納部Ｍが形成される。この水収納部Ｍに水Ｗ（図１〜図３）を入れると、直立状態で安定しやすい（図２参照）。
【００１１】
図３（ｂ）及び図４に示すように、上方開口部３近傍であって小差込口形成連結部７よりも上方位置にて、開閉自在な帯状チャック８が左右水平方向に配設されている。
帯状チャック８よりも上方位置に、吊下げ用の貫孔９を有する。
【００１２】
図６は、第２の実施の形態を示す。この生花鑑賞用袋は、予め錠剤状の切花延命剤10（切花を長持ちさせるための薬剤）が封入されている。上方開口部３に於て、表壁４と裏壁５が連結されている。生花Ｇを生ける前に、図６（ａ）の２点鎖線Ｌの位置を切って開封し、使用する。
【００１３】
図７は、第３の実施の形態を示す。３本の小差込口形成連結部７が、各々、上下方向の直線から成る。これら３本の小差込口形成連結部７によって、４個の生花小差込口６が区画形成されている。
【００１４】
図８は、第４の実施の形態を示す。
２本の小差込口形成連結部７が、各々、上下方向の点線（断続状直線）から成る。これら２本の小差込口形成連結部７によって、３個の生花小差込口６が区画形成されている。
【００１５】
なお、本発明は、設計変更可能であって、例えば、小差込口形成連結部７の数を増減したり形状を変更することにより、生花小差込口６の数を増減させるも良い。また、上下方向の直線から成る小差込口形成連結部７と、上下方向の点線（断続状直線）から成る小差込口形成連結部７の両方を有するも良い。また、吊下げ用の貫孔９を省略するも良い。また、切花延命剤10は、液状又は粒粉状であっても良い。特に、色彩の美しい切花延命剤10が好ましい。
【００１６】
以上のように、本発明は、上方開口部３を有する軟質プラスチックフィルムから成り、かつ、表壁４と裏壁５とを、複数の生花小差込口６を区画形成する小差込口形成連結部７にて連結し、小差込口形成連結部７の少なくとも一部分を上方開口部３近傍に配設したので、持ち運びや展示に場所をとらず、便利である。また、生花Ｇを各生花小差込口６に分散させて生けることにより、生花Ｇを、重量上バランスを保ち、かつ、美感上バランス良く生けることができる。
また、底部Ｓにまち１を有し、水Ｗを入れた状態で、平坦面２が底部Ｓに形成されるように構成したので、安定した状態で水平面に載置することができる。特に、生花Ｇをバランス良く生けて転倒することを防止できるとともに、美しく生花Ｇを生けることができる。
【００１７】
また、上方開口部３近傍であって小差込口形成連結部７よりも上方位置にて、開閉自在な帯状チャック８が左右水平方向に配設されているので、帯状チャック８を適度に閉鎖することにより、一層安定姿勢に保持して、生花Ｇを垂直状にバランス良く保つことができるとともに、水Ｗがこぼれるのを防止することができる。そして、万が一、生花鑑賞用袋を倒した場合でも、一挙に水Ｗがこぼれるのを確実に防止することができる。
予め切花延命剤10を封入したので、使用に便利であり、生花Ｇを長期間生き生きと保ちつつ鑑賞することができる。
【００１８】
小差込口形成連結部７が、上下方向の直線又は点線から成るので、容易に生花Ｇを生けることができる。そして、少ない本数の生花Ｇを生ける場合にも、生花Ｇが倒れるのを防止することができる。
また、帯状チャック８よりも上方位置に、吊下げ用の貫孔９を有するので、垂直面に吊下げて使用することができる。また、帯状チャック８を適度に閉鎖することにより、生花Ｇをバランス良く（倒れないように）生けることができ、さらに、万が一水Ｗをこぼしそうになっても、一挙に水Ｗがこぼれるのを防止することができる。
【図面の簡単な説明】
【００１９】
【図１】本発明の第１の実施の形態の使用状態を示す使用状態説明図であり、（ａ）は正面説明図、（ｂ）はそのＡ−Ａ断面説明図、（ｃ）は（ａ）のＢ−Ｂ断面平面図である。
【図２】第１の実施の形態のさらなる説明図であって、（ａ）は水のみを入れた状態の側面説明図、（ｂ）はその要部拡大断面側面説明図、（ｃ）は水を入れない状態の要部拡大断面説明図である。
【図３】他の使用状態を示す説明図であって、（ａ）は正面説明図、（ｂ）はそのＣ−Ｃ断面拡大側面説明図である。
【図４】未使用状態を示す正面図である。
【図５】図４のＤ−Ｄ断面平面図である。
【図６】第２の実施の形態を示す説明図であって、（ａ）は正面説明図、（ｂ）はそのＥ−Ｅ断面拡大説明図である。
【図７】第３の実施の形態を示す正面図である。
【図８】第４の実施の形態を示す正面図である。
【符号の説明】
【００２０】
１  まち
２  平坦面
３  上方開口部
４  表壁
５  裏壁
６  生花小差込口
７  小差込口形成連結部
８  帯状チャック
９  貫孔
10  切花延命剤
Ｓ  底部
Ｗ  水
【図１】
2006198288.tif 000003
【図２】
2006198288.tif 000004
【図３】
2006198288.tif 000005
【図４】
2006198288.tif 000006
【図５】
2006198288.tif 000007
【図６】
2006198288.tif 000008
【図７】
2006198288.tif 000009
【図８】
2006198288.tif 000010